【手続補正書】
【提出日】平成20年2月7日(2008.2.7)
【手続補正１】
【補正対象書類名】特許請求の範囲
【補正対象項目名】全文
【補正方法】変更
【補正の内容】
【特許請求の範囲】
【請求項１】
フィード液をゼオライトに接触させて精製無機ハロゲン化物又はオキシハロゲン化物液を生成することを含む、無機ハロゲン化物又はオキシハロゲン化物フィード液を精製する方法。
【請求項２】
ゼオライトが、水素型のＹ型ゼオライトである、請求項１に記載の方法。
【請求項３】
ゼオライトが、少なくとも約５のシリカ／アルミナ比を有する、請求項１に記載の方法。
【請求項４】
ゼオライトが、精製無機ハロゲン化物又はオキシハロゲン化物液への、アルカリ金属又はアルカリ土類金属の実質的混入が防がれるような濃度のアルカリ金属又はアルカリ土類金属を含有する、請求項１に記載の方法。
【請求項５】
ゼオライトが、約３重量％未満のＮａ２Ｏを含有する、請求項１に記載の方法。
【請求項６】
ゼオライトが、約０．０５重量％未満のＮａ２Ｏを含有する、請求項５に記載の方法。
【請求項７】
ゼオライトが、約９０ミクロンを超える大きさのゼオライト粒子を含む、請求項１に記載の方法。
【請求項８】
ゼオライトが、約４００ミクロンを超える大きさのゼオライト粒子を含む、請求項７に記載の方法。
【請求項９】
ゼオライトが、少なくとも約５のシリカ／アルミナ比を有する、請求項１に記載の方法。
【請求項１０】
ゼオライトが、少なくとも約８０のシリカ／アルミナ比を有する、請求項９に記載の方法。
【請求項１１】
ゼオライトが、約２０〜約３０オングストロームの平均孔径を有する、請求項１に記載の方法。
【請求項１２】
ゼオライトが、約２４〜約２６オングストロームの平均孔径を有する、請求項１１に記載の方法。
【請求項１３】
ゼオライトが、水素型のＹ型ゼオライトであり、約５．１のＳｉＯ２／Ａｌ２Ｏ３モル比を有し、約２．８のＮａ２Ｏ重量％を有し、約２４．５オングストロームの単位セルサイズを有し、約７３０ｍ２／グラムのＢＥＴ表面積を有する、請求項１に記載の方法。
【請求項１４】
ゼオライトが、水素型のＹ型ゼオライトであり、約８０のＳｉＯ２／Ａｌ２Ｏ３モル比を有し、約０．０３のＮａ２Ｏ重量％を有し、約２４．２オングストロームの単位セルサイズを有し、約７８０ｍ２／グラムのＢＥＴ表面積を有する、請求項１に記載の方法。
【請求項１５】
ゼオライトが、不活性雰囲気下で加熱され、その中に存在する揮発性種が除去されている、請求項１に記載の方法。
【請求項１６】
ゼオライトが、不活性雰囲気下で、少なくとも約１５０℃の温度まで加熱されている、請求項１５に記載の方法。
【請求項１７】
無機ハロゲン化物又はオキシハロゲン化物が、ＳｉＣｌ４、ＧｅＣｌ４及びＰＯＣｌ３からなる群から選択される、請求項１に記載の方法。
【請求項１８】
金属不純物がフィード液から除去される、請求項１に記載の方法。
【請求項１９】
金属不純物が金属イオンである、請求項１８に記載の方法。
【請求項２０】
金属不純物が、アルミニウム、アンチモン、バリウム、カルシウム、クロム、コバルト、銅、鉄、マグネシウム、マンガン、ニッケル、カリウム、ナトリウム、ストロンチウム、スズ及び亜鉛からなる群から選択される、請求項１８に記載の方法。
【請求項２１】
分子性不純物がフィード液から除去される、請求項１に記載の方法。
【請求項２２】
分子性不純物が、Ｃ−Ｈ、Ｓｉ−Ｈ、Ｓｉ−ＯＨ、Ｏ−Ｈ、Ｃ−Ｏ及びＨ−Ｃｌからなる群から選択される化学結合を含有する、請求項２１に記載の方法。
【請求項２３】
金属不純物及び分子性不純物の両方がフィード液から除去される、請求項１に記載の方法。
【請求項２４】
フィード液をシリカゲルに接触させる段階をさらに含む、請求項１に記載の方法。
【請求項２５】
フィード液が、少なくとも１つのゼオライト及びシリカゲルの混合物と接触させられる、請求項１に記載の方法。
【請求項２６】
フィード液が、２以上のゼオライトの混合物と接触させられる、請求項１に記載の方法。
【請求項２７】
フィード液が、連続工程においてゼオライトと接触させられる、請求項１に記載の方法。
【請求項２８】
ゼオライトが、使い捨て液体濾過ハウジング中に含有される、請求項１に記載の方法。
【請求項２９】
ａ）液体注入口及び液体排出口を含む液体濾過ハウジング、及び
ｂ）水素型のＹ型ゼオライト
を含む、無機ハロゲン化物又はオキシハロゲン化物フィード液を精製する装置。
【請求項３０】
ゼオライト保持装置をさらに含む、請求項２９に記載の装置。
【請求項３１】
液体濾過ハウジングが、無機ハロゲン化物又はオキシハロゲン化物液を汚染させにくい耐薬品性材料から構成される、請求項２９に記載の装置。
【請求項３２】
ゼオライトが、少なくとも約５のシリカ／アルミナ比を有する、請求項２９に記載の装置。
【請求項３３】
ゼオライトが、精製無機ハロゲン化物又はオキシハロゲン化物液への、アルカリ金属又はアルカリ土類金属の実質的混入が防がれるような濃度のアルカリ金属又はアルカリ土類金属を含有する、請求項２９に記載の装置。
【請求項３４】
ゼオライトが、約３重量％未満のＮａ２Ｏを含有する、請求項２９に記載の装置。
【請求項３５】
ゼオライトが、約０．０５重量％未満のＮａ２Ｏを含有する、請求項３４に記載の装置。
【請求項３６】
ゼオライトが、約９０ミクロンを超える大きさのゼオライト粒子を含む、請求項２９に記載の装置。
【請求項３７】
ゼオライトが、約４００ミクロンを超える大きさのゼオライト粒子を含む、請求項３６に記載の装置。
【請求項３８】
ゼオライトが、少なくとも約５のシリカ／アルミナ比を有する、請求項２９に記載の装置。
【請求項３９】
ゼオライトが、少なくとも約８０のシリカ／アルミナ比を有する、請求項３８に記載の装置。
【請求項４０】
ゼオライトが、約２０〜約３０オングストロームの平均孔径を有する、請求項２９に記載の装置。
【請求項４１】
ゼオライトが、約２４〜約２６オングストロームの平均孔径を有する、請求項４０に記載の装置。
【請求項４２】
ゼオライトが、約５．１のＳｉＯ２／Ａｌ２Ｏ３モル比を有し、約２．８のＮａ２Ｏ重量％を有し、約２４．５オングストロームの単位セルサイズを有し、及び約７３０ｍ２／グラムのＢＥＴ表面積を有する、請求項２９に記載の装置。
【請求項４３】
ゼオライトが、約８０のＳｉＯ２／Ａｌ２Ｏ３モル比を有し、約０．０３のＮａ２Ｏ重量％を有し、約２４．２オングストロームの単位セルサイズを有し、及び約７８０ｍ２／グラムのＢＥＴ表面積を有する、請求項２９に記載の装置。
【請求項４４】
ゼオライトが揮発性種を実質的に含まない、請求項２９に記載の装置。
【請求項４５】
ゼオライトが不活性雰囲気下で加熱され、その中に存在する揮発性種が除去されている、請求項２９に記載の装置。
【請求項４６】
ゼオライトが、不活性雰囲気下で少なくとも約１５０℃の温度まで加熱されている、請求項４５に記載の装置。
【請求項４７】
液体濾過ハウジングが使い捨てである、請求項２９に記載の装置。
【請求項４８】
液体濾過ハウジングが、ペルフルオロアルコキシ（ＰＦＡ）から構成されている、請求項２９に記載の装置。
【請求項４９】
液体濾過ハウジングが、ポリテトラフルオロエチレン（ＰＴＦＥ）から構成されている、請求項２９に記載の装置。
【請求項５０】
液体濾過ハウジングを製造プロセスに連結する液体導管をさらに含む、請求項２９に記載の装置。
【請求項５１】
液体導管が、ペルフルオロアルコキシ（ＰＦＡ）又はポリテトラフルオロエチレン（ＰＴＦＥ）から構成されている、請求項５０に記載の装置。
【請求項５２】
フィード液を水素型のゼオライトに接触させて精製無機ハロゲン化物又はオキシハロゲン化物液を生成することを含む、無機ハロゲン化物又はオキシハロゲン化物フィード液を精製する方法。
【請求項５３】
ゼオライトが、５．１〜８０のシリカ／アルミナ比を有する、請求項１に記載の方法。
【請求項５４】
ゼオライトが、５．１〜１２のシリカ／アルミナ比を有する、請求項１に記載の方法。
【請求項５５】
ゼオライトが、０．０３〜２．８重量％のＮａ２Ｏを含有する、請求項１に記載の方法。
【請求項５６】
ゼオライトが、５．１〜８０のシリカ／アルミナ比を有する、請求項２９に記載の装置。
【請求項５７】
ゼオライトが、０．０３〜２．８重量％のＮａ２Ｏを含有する、請求項２９に記載の方法。